(57)【要約】【課題】木造家屋の接合部を構成する構造材に耐震性をもたせて接合固定する。【解決手段】木造家屋の接合部を構成する各構造材２１・２２を、連結プレート３に固定用螺子４を螺挿して連結固定する耐震補強装置であって、前記各構造材２１・２２の固定用螺子４の螺挿位置に、前記固定用螺子４の頭部より径大で、且つ該固定用螺子４の長さよりは浅い嵌合凹部５を穿設すると共に、該嵌合凹部５に、前記各構造材２１・２２より硬質の素材により形成された硬質補強材６をそれぞれ圧入固定して、前記各固定用螺子４を前記各硬質補強材６を貫通して該各構造材２１・２２まで螺挿する。【選択図】図２
2006307440.tif 000002
【特許請求の範囲】
【請求項１】
木造家屋の接合部を構成する各構造材を、該各構造材に跨って配置された連結プレートに固定用螺子を螺挿して連結固定する木造家屋の接合部における耐震補強装置であって、前記各構造材の固定用螺子の螺挿位置に、前記固定用螺子の頭部より径大で、且つ該固定用螺子の長さよりは浅い嵌合凹部を穿設すると共に、該嵌合凹部に、前記各構造材より硬質の素材により形成された硬質補強材をそれぞれ圧入固定して、前記各固定用螺子を前記各硬質補強材を貫通して該各構造材まで螺挿することを特徴とする木造家屋の接合部における耐震補強装置。
【発明の詳細な説明】
【技術分野】
【０００１】
本発明は、木造家屋の接合部を構成する構造材としての、柱材と梁材または胴差、柱材と土台、柱材または土台と基礎梁、あるいは、耐力壁間柱と土台等、木造家屋の接合部を補強し、耐震性を高める木造家屋の接合部における耐震補強装置に関するものである。
【背景技術】
【０００２】
従来、木造家屋の接合部を構成する構造材としての、柱材と梁材または胴差、柱材と土台、柱材または土台と基礎梁、あるいは、耐力壁間柱と土台等、木造家屋の接合部は、はごいたボルト、短尺金物あるいは箱金物等で接合固定されている。
【０００３】
また、木造家屋の接合部に耐震性をもたせた構造につき、過去の特許文献を遡及検索したところ、下記の特許文献に記載された木造建築物の耐震補強金具が公知である。
【０００４】
【特許文献１】特開２００４−１１１４０号公報
【発明の開示】
【発明が解決しようとする課題】
【０００５】
前記従来の固定方法では、地震が発生して家屋が横揺れ、または縦揺れした場合、使用されている柱材、梁材、胴差、土台、基礎梁、耐力壁間柱のいずれも硬い木質材を使用していないため、各接合部がそれぞれずれてしまい、その結果はごいたボルト、短尺金物、または箱金物等が折曲したり、あるいは切断してしまい、柱材と梁材または胴差、柱材と土台、柱材または土台と基礎梁、あるいは耐力壁間柱と土台の接合固定状態がはずれ、家屋が倒壊してしまうという虞れが大きいという課題があった。
【０００６】
また、特許文献１に記載された補強金具を使用するとしても、前記と同様、補強金具の取付部分の柱材と土台には、強度を持つ硬質補強材が設けられていないので、地震が発生して家屋が横揺れ、または縦揺れした場合、柱材と土台のいずれかがずれてしまい、その結果補強金具が折曲したり、あるいは切断したりして、柱材と土台の接合固定状態がはずれ、家屋が倒壊してしまうという虞れが大きいという課題があった。
【０００７】
本発明は、前記課題を解決すべくなされたもので、木造家屋の接合部を構成する構造材としての、柱材と梁材または胴差、柱材と土台、柱材または土台と基礎梁、あるいは、耐力壁間柱と土台等の木造家屋の接合部を固定する際、これら各構造材に跨って連結プレートを取付けるため、前記各構造材の固定用螺子の螺挿位置に、前記固定用螺子の頭部より径大で、且つ該固定用螺子の長さよりは浅い嵌合凹部を穿設すると共に、該嵌合凹部に、前記各構造材より硬質の素材、例えば硬質木材、または硬質プラスチック等により形成された硬質補強材を圧入して、固定用螺子の挿入部を補強することにより、地震の振動があっても、固定用螺子が折曲したり、切断したりすることがなく、木造家屋の地震による倒壊を阻止することができる木造家屋の接合部における耐震補強装置を提供しようとするものである。
【課題を解決するための手段】
【０００８】
本発明は、木造家屋の接合部を構成する各構造材を、該各構造材に跨って配置された連結プレートに固定用螺子を螺挿して連結固定する木造家屋の接合部における耐震補強装置であって、前記各構造材の固定用螺子の螺挿位置に、前記固定用螺子の頭部より径大で、且つ該固定用螺子の長さよりは浅い嵌合凹部を穿設すると共に、該嵌合凹部に、前記各構造材より硬質の素材により形成された硬質補強材をそれぞれ圧入固定して、前記各固定用螺子を前記各硬質補強材を貫通して該各構造材まで螺挿するという手段を採用することにより、上記課題を解決した。
【発明の効果】
【０００９】
本発明木造家屋の接合部における耐震補強装置によれば、木造家屋の接合部を構成する各構造材を連結固定する連結プレートの固定用螺子の螺挿部に硬質補強材を圧入固定してあるので、前記固定用螺子と硬質補強材との喰い込み密着性が強固であり、地震により木造家屋が横揺れしたり、縦揺れしたりしても、前記固定用螺子が折曲したり、あるいは切断したりすることがなく、家屋の倒壊を防止できるというものを提供することができる。
【実施例１】
【００１０】
本発明の実施例１は、木造家屋の接合部を構成する構造材としての柱材と梁材の接合固定に本発明補強装置を使用した例である。すなわち、図１は、木造家屋の接合部を構成する構造材２１・２２としての柱材１と梁材２とを接合固定した状態を示す正面図、図２は図１のＡ−Ａ断面図である。前記柱材１と梁材２において、両者を接合固定するために使用する連結プレート３にそれぞれ固定用螺子４を貫挿する位置に、該各固定用螺子４の頭部４ａより径大な嵌合凹部５をそれぞれ穿設すると共に、前記構造材２１・２２としての柱材１および梁材２より硬質の素材、例えばマホガニー等の硬質木材、またはアクリル樹脂等の硬質プラスチックにより形成された硬質補強材６を、前記嵌合凹部５に、好ましくは、その内周壁面に接着剤層７を設けてそれぞれ圧入固定すると共に、前記各硬質補強材６の外方側には、柱材１および梁材２の外側壁面との間にわずかな厚みの凹部８を備え、且つ該凹部８にはブチルゴム等のゴムワッシャー９がそれぞれ挿入されている。なお、前記固定用螺子４は、特に限定する必要はないが、好ましくは、前記硬質補強材６、柱材１および梁材２に強固に喰い込ませるために、ラグスクリューを使用することが推奨される。
【００１１】
一方、前記硬質補強材６の中央には、各固定用螺子４を螺挿する挿入孔１０がそれぞれ貫通されて、該各挿入孔１０に固定用螺子４がそれぞれ螺挿されるが、該各固定用螺子４は、前記硬質補強材６を貫通して柱材１および梁材２に喰い込んで固定できるようにするために、前記挿入孔１０より長く形成される。
【００１２】
前記柱材１と梁材２の各硬質補強材６に跨って配置される連結プレート３は、前記柱材１および梁材２の各硬質補強材６より巾広に形成され、更に前記各挿入孔１０に対面する位置に固定用螺子４を挿通する挿通孔１１をそれぞれ貫通して形成されている。そして、前記連結プレート３上に、下面にゴムを付設したゴム付きワッシャー１２をそれぞれ重合させ、且つ該ゴム付きワッシャー１２を貫通して、各固定用螺子４が前記挿入孔１０に螺挿されて、先方部が柱材１および梁材２にそれぞれ喰い込んで固定される。前記連結プレート３を前記ゴムワッシャー９とゴム付きワッシャー１２間に挟持することにより、該連結プレート３の滑動が阻止され、前記柱材１と梁材２に跨って圧着固定される。なお、前記各挿入孔１０に螺挿される各固定用螺子４の外周面には、合成樹脂１３を注入して、該各固定用螺子４を硬質補強材６、柱材１および梁材２に密に固定することが推奨される。
【００１３】
図１に示す連結プレート３は、長方形状に形成され、柱材１と梁材２の１個所ずつにそれぞれの固定用螺子４を螺挿するための挿通孔１１が１個ずつ設けられているが、その形状および挿通孔１１の数は取付場所および目的に応じて任意に選択して使用することができる。すなわち、例えば、図３に示す各形状の連結プレート３は、引張り強度を得ることを目的とするものであり、また、図４に示す各形状の連結プレート３は、図３に示すものより挿通孔１１の数を多くして曲げ強度を得ることを目的とするものであり、これら図３、図４に示すものから任意に選択して使用する。
【実施例２】
【００１４】
本発明の実施例２は、木造家屋の接合部を構成する構造材としての柱材と胴差の接合固定に本発明補強装置を使用した例である。すなわち、図５は、木造家屋の接合部を構成する構造材２１・２２としての柱材１と胴差１５とを接合固定した状態を示す正面図、図６は図５のＢ−Ｂ断面図である。前記柱材１と胴差１５において、両者を接合固定するために使用する連結プレート３にそれぞれ固定用螺子４を貫挿する位置に、該各固定用螺子４の頭部４ａより径大な嵌合凹部５をそれぞれ穿設すると共に、前記構造材２１・２２としての柱材１および胴差１５より硬質の素材、例えばマホガニー等の硬質木材、またはアクリル樹脂等の硬質プラスチックにより形成された硬質補強材６を、前記嵌合凹部５に、好ましくは、その内周壁面に接着剤層７を設けてそれぞれ圧入固定すると共に、前記各硬質補強材６の外方側には、柱材１および胴差１５の外側壁面との間にわずかな厚みの凹部８を備え、且つ該凹部８にはブチルゴム等のゴムワッシャー９がそれぞれ挿入されている。なお、前記固定用螺子４は、特に限定する必要はないが、好ましくは、前記硬質補強材６、柱材１および胴差１５に強固に喰い込ませるために、ラグスクリューを使用することが推奨される。
【００１５】
一方、前記硬質補強材６の中央には、各固定用螺子４を螺挿する挿入孔１０がそれぞれ貫通されて、該各挿入孔１０に固定用螺子４がそれぞれ螺挿されるが、該各固定用螺子４は、前記硬質補強材６を貫通して柱材１および胴差１５に喰い込んで固定できるようにするために、前記挿入孔１０より長く形成される。
【００１６】
前記柱材１と胴差１５の各硬質補強材６に跨って配置される連結プレート３は、前記柱材１および胴差１５の各硬質補強材６より巾広に形成され、更に前記各挿入孔１０に対面する位置に固定用螺子４を挿通する挿通孔１１をそれぞれ貫通して形成されている。そして、前記連結プレート３上に、下面にゴムを付設したゴム付きワッシャー１２をそれぞれ重合させ、且つ該ゴム付きワッシャー１２を貫通して、各固定用螺子４が前記挿入孔１０に螺挿されて、先方部が柱材１および胴差１５にそれぞれ喰い込んで固定される。前記連結プレート３を前記ゴムワッシャー９とゴム付きワッシャー１２間に挟持することにより、該連結プレート３の滑動が阻止され、前記柱材１および胴差１５に跨って圧着固定される。なお、前記各挿入孔１０に螺挿される各固定用螺子４の外周面には、合成樹脂１３を注入して、該各固定用螺子４を硬質補強材６、柱材１および胴差１５に密に固定することが推奨される。
【００１７】
図５に示す連結プレート３は、Ｌ字形状に形成され、柱材１に２個所、胴差１５の１個所にそれぞれの固定用螺子４を螺挿する挿通孔１１が設けられているが、前記実施例１におけると同様、図３・図４に示す連結プレート３のいずれかを、取付場所および目的に応じて任意に選択して使用することができる。
【実施例３】
【００１８】
本発明の実施例３は、木造家屋の接合部を構成する構造材としての柱材と土台の接合固定に本発明補強装置を使用した例である。すなわち、図７は、木造家屋の接合部を構成する構造材２１・２２としての柱材１と土台１６とを接合固定した状態を示す正面図、図８は図７のＣ−Ｃ断面図である。前記柱材１と土台１６において、両者を接合固定するために使用する連結プレート３にそれぞれ固定用螺子４を貫挿する位置に、該各固定用螺子４の頭部４ａより径大な嵌合凹部５をそれぞれ穿設すると共に、前記構造材２１・２２としての柱材１および土台１６より硬質の素材、例えばマホガニー等の硬質木材、またはアクリル樹脂等の硬質プラスチックにより形成された硬質補強材６を、前記嵌合凹部５に、好ましくは、その内周壁面に接着剤層７を設けてそれぞれ圧入固定すると共に、前記各硬質補強材６の外方側には、柱材１および土台１６の外側壁面との間にわずかな厚みの凹部８を備え、且つ該凹部８にはブチルゴム等のゴムワッシャー９がそれぞれ挿入されている。なお、前記固定用螺子４は、特に限定する必要はないが、好ましくは、前記硬質補強材６、柱材１および土台１６に強固に喰い込ませるために、ラグスクリューを使用することが推奨される。
【００１９】
一方、前記硬質補強材６の中央には、各固定用螺子４を螺挿する挿入孔１０がそれぞれ貫通されて、該各挿入孔１０に固定用螺子４がそれぞれ螺挿されるが、該各固定用螺子４は、前記硬質補強材６を貫通して柱材１および土台１６に喰い込んで固定できるようにするために、前記挿入孔１０より長く形成される。
【００２０】
前記柱材１と土台１６の各硬質補強材６に跨って配置される連結プレート３は、前記柱材１および土台１６の各硬質補強材６より巾広に形成され、更に前記各挿入孔１０に対面する位置に固定用螺子４を挿通する挿通孔１１をそれぞれ貫通して形成されている。そして、前記連結プレート３上に、下面にゴムを付設したゴム付きワッシャー１２をそれぞれ重合させ、且つ該ゴム付きワッシャー１２を貫通して、各固定用螺子４が前記挿入孔１０に螺挿されて、先方部が柱材１および土台１６に喰い込んで固定される。前記連結プレート３を前記ゴムワッシャー９とゴム付きワッシャー１２間に挟持することにより、該連結プレート３の滑動が阻止され、前記柱材１と土台１６に跨って圧着固定される。なお、前記各挿入孔１０に螺挿される各固定用螺子４の外周面には、合成樹脂１３を注入して、該各固定用螺子４を硬質補強材６、柱材１および土台１６に密に固定することが推奨される。
【００２１】
図７に示す連結プレート３は、長方形状に形成され、柱材１と土台１６の１個所ずつにそれぞれの固定用螺子４を螺挿する挿通孔１１が１個ずつ設けられているが、前記実施例１におけると同様、図３・図４に示す連結プレート３のいずれかを、取付場所および目的に応じて任意に選択して使用することができる。
【実施例４】
【００２２】
本発明の実施例４は、木造家屋の接合部を構成する構造材としての土台と耐力壁間柱の接合固定に本発明補強装置を使用した例である。すなわち、図９は、木造家屋の接合部を構成する構造材２１・２２としての土台１６と耐力壁間柱１７を接合固定した状態を示す正面図、図１０は図９のＤ−Ｄ断面図である。前記土台１６と耐力壁間柱１７において、両者を接合固定するために使用する連結プレート３にそれぞれ固定用螺子４を貫挿する位置に、該各固定用螺子４の頭部４ａより径大な嵌合凹部５をそれぞれ穿設すると共に、前記構造材２１・２２としての土台１６および耐力壁間柱１７より硬質の素材、例えばマホガニー等の硬質木材、またはアクリル樹脂等の硬質プラスチックにより形成された硬質補強材６を、前記嵌合凹部５に、好ましくは、その内周壁面に接着剤層７を設けてそれぞれ圧入固定すると共に、前記硬質補強材６の外方側には、土台１６または耐力壁間柱１７の外側壁面との間にわずかな厚みの凹部８を備え、且つ該凹部８にはブチルゴム等のゴムワッシャー９がそれぞれ挿入されている。なお、前記固定用螺子４は、特に限定する必要はないが、好ましくは、前記硬質補強材６、土台１６および耐力壁間柱１７に強固に喰い込ませるために、ラグスクリューを使用することが推奨される。
【００２３】
一方、前記硬質補強材６の中央には、各固定用螺子４を螺挿する挿入孔１０がそれぞれ貫通されて、該各挿入孔１０に固定用螺子４がそれぞれ螺挿されるが、該各固定用螺子４は、前記硬質補強材６を貫通して土台１６および耐力壁間柱１７に喰い込んで固定できるようにするために、前記挿入孔１０より長く形成される。
【００２４】
前記土台１６および耐力壁間柱１７の各硬質補強材６に跨って配置される連結プレート３は、前記柱材１および梁材２の各硬質補強材６より巾広に形成され、更に前記各挿入孔１０に対面する位置に固定用螺子４を挿通する挿通孔１１をそれぞれ貫通して形成されている。そして、前記連結プレート３上に、下面にゴムを付設したゴム付きワッシャー１２をそれぞれ重合させ、且つ該ゴム付きワッシャー１２を貫通して、各固定用螺子４が前記挿入孔１０に螺挿されて、先方部が土台１６および耐力壁間柱１７にそれぞれ喰い込んで固定される。前記連結プレート３を前記ゴムワッシャー９とゴム付きワッシャー１２間に挟持することにより、該連結プレート３の滑動が阻止され、前記土台１６および耐力壁間柱１７に跨って圧着固定される。なお、前記各挿入孔１０に螺挿される各固定用螺子４の外周面には、合成樹脂１３を注入して、該各固定用螺子４を硬質補強材６、土台１６および耐力壁間柱１７に密に固定することが推奨される。
【００２５】
図９に示す連結プレート３は、長方形状に形成され、土台１６および耐力壁間柱１７の１個所ずつにそれぞれの固定用螺子４を螺挿する挿通孔１１が１個ずつ設けられているが、前記実施例１におけると同様、図３・図４に示す連結プレート３のいずれかを、取付場所および目的に応じて任意に選択して使用することができる。
【実施例５】
【００２６】
本発明の実施例５は、木造家屋の接合部を構成する構造材としての柱材と土台および基礎梁の接合固定に本発明補強装置を使用した例である。すなわち、図１１は、木造家屋の接合部を構成する構造材２１・２２・２２’としての柱材１と土台１６および基礎梁１８を接合固定した状態を示す正面図、図１２は図１１のＥ−Ｅ断面図、図１３は図１１のＦ−Ｆ断面図である。前記柱材１と基礎梁１８において、両者を接合固定するために使用する連結プレート３にそれぞれ固定用螺子４を貫挿する位置に、該各固定用螺子４の頭部４ａより径大な嵌合凹部５をそれぞれ穿設すると共に、前記構造材２１・２２・２２’としての柱材１と土台１６および基礎梁１８より硬質の素材、例えばマホガニー等の硬質木材、またはアクリル樹脂等の硬質プラスチックにより形成された硬質補強材６を、前記嵌合凹部５に、好ましくは、その内周壁面に接着剤層７を設けてそれぞれ圧入固定すると共に、前記硬質補強材６の外方側には、柱材１と土台１６および基礎梁１８の外側壁面との間にわずかな厚みの凹部８を備え、且つ該凹部８にはブチルゴム等のゴムワッシャー９がそれぞれ挿入されている。なお、前記固定用螺子４は、特に限定する必要はないが、好ましくは、前記硬質補強材６、柱材１と土台１６および基礎梁１８に強固に喰い込ませるために、ラグスクリューを使用することが推奨される。
【００２７】
一方、前記硬質補強材６の中央には、各固定用螺子４を螺挿する挿入孔１０がそれぞれ貫通されて、該各挿入孔１０に固定用螺子４がそれぞれ螺挿されるが、該各固定用螺子４は、前記硬質補強材６を貫通して柱材１と土台１６および基礎梁１８に喰い込んで固定できるようにするために、前記挿入孔１０より長く形成される。
【００２８】
前記柱材１と土台１６および基礎梁１８の各硬質補強材６に跨って配置される連結プレート３は、前記柱材１と土台１６および基礎梁１８の各硬質補強材６より巾広に形成され、更に前記各挿入孔１０に対面する位置に固定用螺子４を挿通する挿通孔１１をそれぞれ貫通して形成されている。そして、前記連結プレート３上に、下面にゴムを付設したゴム付きワッシャー１２をそれぞれ重合させ、且つ該ゴム付きワッシャー１２を貫通して、固定用螺子４が前記挿入孔１０に螺挿されて、先方部が柱材１と土台１６および基礎梁１８にそれぞれ喰い込んで固定される。前記連結プレート３を前記ゴムワッシャー９とゴム付きワッシャー１２間に挟持することにより、該連結プレート３の滑動が阻止され、前記柱材１と土台１６および基礎梁１８に跨って圧着固定される。なお、前記各挿入孔１０に螺挿される各固定用螺子４の外周面には、合成樹脂１３を注入して、該各固定用螺子４を硬質補強材６、柱材１と土台１６および基礎梁１８に密に固定することが推奨される。
【００２９】
図１１に示す連結プレート３は、Ｔ形状に形成され、前記固定用螺子４を螺挿する挿通孔１１が柱材１に２個、土台１６および基礎梁１８に１個ずつ設けられているが、前記実施例１におけると同様、図３・図４に示す連結プレート３のいずれかを、取付場所および目的に応じて任意に選択して使用することができる。
【００３０】
前記各実施例に記述した通り、本発明木造家屋の接合部における耐震補強装置は、木造家屋の接合部を構成する各構造材２１・２２・２２’を連結固定する連結プレート３の各固定用螺子４の螺挿位置に設けられた嵌合凹部５に、該各構造材２１・２２・２２’より硬質の素材により形成された硬質補強材６を圧入固定してあるので、前記固定用螺子４と硬質補強材６との喰い込み密着性が強固であり、地震により木造家屋が横揺れしたり、縦揺れしたりしても、前記固定用螺子４が折曲したり、あるいは切断したりすることがなく、家屋の倒壊を防止できる。
【図面の簡単な説明】
【００３１】
【図１】木造家屋の接合部を構成する構造材としての柱材と梁材とを接合固定した状態を示す正面図である。
【図２】図１のＡ−Ａ断面図である。
【図３】本発明木造家屋の接合部における耐震補強装置に使用され、引張り強度を得ることを目的とする連結プレートの例を示す正面図である。
【図４】本発明木造家屋の接合部における耐震補強装置に使用され、曲げ強度を得ることを目的とする連結プレートの例を示す正面図である。
【図５】木造家屋の接合部を構成する構造材としての柱材と胴差とを接合固定した状態を示す正面図である。
【図６】図５のＢ−Ｂ断面図である。
【図７】木造家屋の接合部を構成する構造材としての柱材と土台とを接合固定した状態を示す正面図である。
【図８】図７のＣ−Ｃ断面図である。
【図９】木造家屋の接合部を構成する構造材としての柱材と耐力壁間柱とを接合固定した状態を示す正面図である。
【図１０】図９のＤ−Ｄ断面図である。
【図１１】木造家屋の接合部を構成する構造材としての柱材と基礎梁とを接合固定した状態を示す正面図である。
【図１２】図１１のＥ−Ｅ断面図である。
【図１３】図１１のＦ−Ｆ断面図である。
【符号の説明】
【００３２】
３  連結プレート
４  固定用螺子
５  嵌合凹部
６  硬質補強材
２１・２２・２２’  構造材
【図１】
2006307440.tif 000003
【図２】
2006307440.tif 000004
【図３】
2006307440.tif 000005
【図４】
2006307440.tif 000006
【図５】
2006307440.tif 000007
【図６】
2006307440.tif 000008
【図７】
2006307440.tif 000009
【図８】
2006307440.tif 000010
【図９】
2006307440.tif 000011
【図１０】
2006307440.tif 000012
【図１１】
2006307440.tif 000013
【図１２】
2006307440.tif 000014
【図１３】
2006307440.tif 000015